(57)【要約】【課題】洗浄液の補充を簡便に行う。【解決手段】洗剤等の洗浄液を保存するための洗浄液保持部と、給水口から局部へ洗浄水を噴出するための洗浄ノズル２ヘ至る給水経路の途中に配設されて洗浄液保持部からの洗浄液を洗浄水に混合する洗浄液混合部３３と、洗浄水や洗浄水と洗浄液との混合液を局部に向けて噴射する上記洗浄ノズル２とを備えた局部洗浄装置である。上記洗浄液保持部は市販洗浄液の詰替容器３０を保持するものとして形成されている。詰替容器をそのまま使用するために、洗浄液を移し替える手間が不要なものである。【選択図】　図１
2004003234.tif 000002
【特許請求の範囲】
【請求項１】
洗剤等の洗浄液を保存するための洗浄液保持部と、給水口から局部へ洗浄水を噴出するための洗浄ノズルヘ至る給水経路の途中に配設されて洗浄液保持部からの洗浄液を洗浄水に混合する洗浄液混合部と、洗浄水や洗浄水と洗浄液との混合液を局部に向けて噴射する上記洗浄ノズルとを備えた局部洗浄装置であって、上記洗浄液保持部が市販洗浄液の詰替容器を保持するものとして形成されていることを特徴とする局部洗浄装置。
【請求項２】
洗浄液保持部は、詰替容器内に挿入される伸縮自在な管状の洗浄液吸入部を備えていることを特徴とする請求項１記載の局部洗浄装置。
【請求項３】
詰替容器は可撓性を有するパックであり、洗浄液保持部は詰替容器内に挿入される管状の洗浄液吸入部と、詰替容器の口部と上記挿入された洗浄液吸入部とを挟持固定して詰替容器の口部を封止する挟持固定部材を備えていることを特徴とする請求項１または２記載の局部洗浄装置。
【請求項４】
詰替容器は剛性を有するとともに雄ねじを外周面に備えた口部を有している容器であり、洗浄液保持部は上記口部が螺合連結される連結部を備えていることを特徴とする請求項１または２記載の局部洗浄装置。
【請求項５】
連結部は上記口部が螺合連結されるキャップであり、管状の洗浄液吸入部が上下動自在に取り付けられていることを特徴とする請求項４記載の局部洗浄装置。
【請求項６】
連結部には把手が設けられていることを特徴とする請求項４または５記載の局部洗浄装置。
【請求項７】
連結部には空気取り入れ口が設けられていることを特徴とする請求項４〜６のいずれかの項に記載の局部洗浄装置。
【請求項８】
洗浄液容器内の内圧を高めて洗浄液を送り出す圧力付加手段を備えていることを特徴とする請求項１〜４のいずれかの項に記載の局部洗浄装置。
【請求項９】
洗浄液保持部は詰替容器内に挿入される管状の洗浄液吸入部が着脱自在に連結される接続口を備えているとともに、該接続口は上記着脱に連動して開閉される弁を内蔵していることを特徴とする請求項１〜４のいずれかの項に記載の局部洗浄装置。
【発明の詳細な説明】
【０００１】
【発明の属する技術分野】
本発明は人体局部を洗浄するための局部洗浄装置に関する。
【０００２】
【従来の技術】
局部洗浄装置は、局部洗浄機構を有する局部洗浄装置本体と、使用者が洗浄方法等を選択操作するための操作部と、操作部からの信号に応じて便座温度や洗浄水温度や洗浄流量等を制御するための制御回路と、使用者が座るための便座とで構成され、温水タンクと局部洗浄用の洗浄ノズルとを備えた局部洗浄装置本体は、操作部からの指示に基づいて、温水タンク内の温水を洗浄ノズルから局部に向けて噴射して局部の洗浄を行う。
【０００３】
このような局部洗浄装置において、局部洗浄をより衛生的に行うために、洗浄用の温水に洗浄液を混合して洗浄ノズルから噴射するようにしたものが提供されている。
【０００４】
【発明が解決しようとする課題】
この洗浄液は使用によって無くなった時、補充する必要があるが、従来は洗浄液を入れるための専用タンクを局部洗浄装置本体から取り外して、この専用タンクに洗浄液を補充し、その後、専用タンクを局部洗浄装置本体に再度装着するという手間をかけなくてはならなかった。
【０００５】
本発明はこのような点に鑑みなされたものであって、その目的とするところは洗浄液の補充を簡便に行うことができる局部洗浄装置を提供するにある。
【０００６】
【課題を解決するための手段】
しかして本発明は、洗剤等の洗浄液を保存するための洗浄液保持部と、給水口から局部へ洗浄水を噴出するための洗浄ノズルヘ至る給水経路の途中に配設されて洗浄液保持部からの洗浄液を洗浄水に混合する洗浄液混合部と、洗浄水や洗浄水と洗浄液との混合液を局部に向けて噴射する上記洗浄ノズルとを備えた局部洗浄装置であって、上記洗浄液保持部が市販洗浄液の詰替容器を保持するものとして形成されていることに特徴を有している。詰替容器をそのまま使用するために、洗浄液を移し替える手間を必要としないものである。
【０００７】
洗浄液保持部は、詰替容器内に挿入される伸縮自在な管状の洗浄液吸入部を備えたものとするのが好ましい。詰替容器のサイズの違いに対応することができる。
【０００８】
また、詰替容器が可撓性を有するパックである場合、洗浄液保持部は詰替容器内に挿入される管状の洗浄液吸入部と、詰替容器の口部と上記挿入された洗浄液吸入部とを挟持固定して詰替容器の口部を封止する挟持固定部材を備えたものとするのが好ましく、詰替容器が剛性を有するとともに雄ねじを外周面に備えた口部を有している容器である場合、洗浄液保持部は上記口部が螺合連結される連結部を備えたものとするのが好ましい。
【０００９】
連結部は上記口部が螺合連結されるキャップであり、管状の洗浄液吸入部が上下動自在に取り付けられているものであってもよく、また連結部に把手が設けられていてもよい。連結部に空気取り入れ口が設けられていることも好ましい。
【００１０】
さらに、洗浄液容器内の内圧を高めて洗浄液を送り出す圧力付加手段を備えたものであってもよい。
【００１１】
そして、洗浄液保持部が詰替容器内に挿入される管状の洗浄液吸入部が着脱自在に連結される接続口を備えて、該接続口が上記着脱に連動して開閉される弁を内蔵しているものも好ましい。
【００１２】
【発明の実施の形態】
以下本発明を実施の形態の一例に基づいて詳述すると、図２に示すように、水道等の水源１と洗浄用のノズル部２とをつなぐ給水経路中に、給水弁１１と、給水加熱用のヒータを備えた温水タンク１２と水ポンプ１３と洗浄液混合部３３とをこの順に挿入してある。
【００１３】
そして、ここでは上記ノズル部２として、お尻洗浄ノズル２２とビデ洗浄ノズル２３の２つの局部洗浄用の洗浄ノズルのほかに、便器内面を濡らしたり洗浄したりするための便器洗浄用ノズル２４と、お尻洗浄ノズル２２及びビデ洗浄ノズルを洗浄するためのノズル洗浄用ノズル２１とを備えたものを用いており、上記給水経路に対し、これら４つのノズル２１〜２４はステッピングモーターで駆動するロータリー切替弁のような流路切替機構２０を介して接続することで、洗浄水を各ノズル２１〜２４に選択的に供給することができるようにしてある。
【００１４】
図２及び図４はノズル部２の具体的構成の一例を示しており、洗浄ノズル２２，２３としては給水圧によって伸びた後に洗浄水を噴射するテレスコピック型のものを、ノズル洗浄用ノズル２１には図３に示すように複数箇所から洗浄水を噴射して収納状態にある洗浄ノズル２２，２３に対して夫々斜め上方から洗浄水を当てるものを、便器洗浄用ノズル２４には図４に示すように扇状に洗浄水を噴射して便器内面の広範囲に洗浄水を当てるものを用いている。
【００１５】
上記洗浄液混合部３３には、洗浄液容器３０が逆止弁３１と洗浄液供給ポンプ３２とを介して接続されており、洗浄液供給ポンプ３２が作動する時、給水経路を流れる洗浄水に洗浄液が混合される。従って、ノズル部２には温水である洗浄水と、洗浄水に洗浄液を混合した混合液とを供給することが可能となっており、また、流路切替機構２０による流路の切替により、任意の液を任意のノズル２１〜２４に供給することが可能となっている。
【００１６】
洗浄液を含んだ混合液をノズル部２から噴射することで、汚れ（特に油分）を洗浄液（界面活性剤等）の洗浄力によって落とすことができるものであり、また、混合液で表面が濡らされた洗浄ノズル２２，２３や便器はその表面が滑りやすくなるために、便等の汚れが付着しにくくなるものである。
【００１７】
そして、該局部洗浄装置における各ポンプ１３，３２と流路切替機構２０とを制御する制御回路は、ここではノズル洗浄用ノズル２１による洗浄ノズル２２，２３の洗浄と、便器洗浄用ノズル２４による便器の洗浄とを、便器への着座及び離座と、前記操作部に配された局部洗浄のための洗浄スイッチのオンオフ動作に連動して自動的になされるようにしている。
【００１８】
図６はこの場合の制御の一例を示しており、人体の検知用の人体検知センサＳ１（図５参照）による便座への着座検知により、制御回路Ｃはまず混合液Ａを便器洗浄用ノズル２４から吐出して便器内面を濡らす。
【００１９】
そして使用者が局部洗浄用の温水洗浄スイッチをオンとすれば、制御回路はユーザーが指定した洗浄ノズル２２，２３に洗浄水を供給する局部洗浄動作を行わせる。また、使用者が局部洗浄用の洗浄液洗浄スイッチをオンとすれば、制御回路は洗浄ノズル２２に対して洗浄液と洗浄水の混合液を供給し、続いて温水である洗浄水のみを供給して洗浄ノズル２２をすすぐ。人体の離座を検知すれば、制御回路はノズル洗浄ノズル２１に洗浄水を供給してノズル２２，２３の洗浄を行う。図３中のＳ２はトイレへの人体の入退室を検知するためのセンサ、Ａは局部洗浄装置本体、Ｂは操作部を表面に備えているとともに洗浄液収納部を内部に備えた袖部、Ｃは開閉自在な便座である。
【００２０】
ここにおいて、上記洗浄液容器３０には市販洗浄液の詰替容器をそのまま用いており、図１は可撓性を有する透明パックとして形成された詰替容器である洗浄液容器３０を用いている場合の洗浄液保持部の構成の一例を示している。図中６０は洗浄液容器３０を納めるためのケース、６１はケース６０の開口部を閉じる蓋、６４は洗浄液容器３０内に挿入される吸入パイプ、６５は開封したタンク（詰替容器）３０の口を閉じるとともに吸入パイプ６４を固定するクリップ、７０は洗浄装置本体Ａ側に設けられている接続口、６７は接続口７０と吸入パイプ６４とを接続する接続部である。
【００２１】
上記吸入パイプ６４は、図７に示すように、パイプ６４ａとパイプ６４ｃとを伸縮自在に連結したものとして形成されているとともに、ばね６４ｂｎよって延びる方向に付勢されているもので、深さが異なる洗浄液容器３０を用いた場合にも吸入パイプ６４の下端は洗浄液容器３０の下端に位置するようにしてある。
【００２２】
上記クリップ６５はヒンジ部を備えた合成樹脂製のもので、その内面には弾性材６６が配設されているとともに、弾性材６６には吸入パイプ６４を通すための溝６６０が設けられているために、吸入パイプ６４が挿入された洗浄液容器３０の開封された口を閉じることができるものとなっている。なお、弾性材６６は図１５に示すように吸入パイプ６４側に設けていてもよい。
【００２３】
また、接続口７０は図９に示すように、ばね７２によって閉じる方向に付勢された弁７１を内蔵しており、一端が吸入パイプ６４に接続された接続部材６７を接続口７０に差し込めば、接続部材６７で弁７１が押されてばね７２に抗して後退するために、接続口７０が開くようになっている。これは洗浄液容器３０を取り外した時、局部洗浄装置本体Ａ側に残っている洗浄液が空気に触れて固着するのを防ぐためである。また、接続部材６７に装着されたＯリング６８は接続部材６７と接続口７０とを気密的に接続するためのものであり、接続口７０に差し込まれる接続部材６７の外周に装着することで保守交換を容易にしている。
【００２４】
新しい洗浄液容器３０を装填する場合、図１０〜１４に示すように、透明パックである洗浄液容器３０の上端部を鋏等で切って開封し、接続部材６７が上端につながっている吸入パイプ６４の下部を洗浄液容器３０内に差し込み、クリップ６５で洗浄液容器３０の口部を密封固定する。そしてケース６０内に入れて蓋６１を閉じ、蓋６１に設けた固定溝６３に接続部材６７を係止させる。次いで蓋６１に設けたフック６２を局部洗浄装置本体Ａ側の固定ベース１８に設けた係合溝１９に下方から差し込んでスライドさせることでフック６２を固定ベース１８に連結し、この時、接続部材６７を接続口７０に接続する。洗浄液容器３０から洗浄液が供給されて洗浄液容器３０内の洗浄液が減れば、可撓性を有する透明パックである洗浄液容器３０は萎んでいくことから、そのつぶれ具合から洗浄液の残量を容易に確認することができる。
【００２５】
吸入パイプ６４は図１６に示すように挟持固定部材であるクリップ６５に一体的に連結したものであってもよい。
【００２６】
図１７及び図１８は、洗浄液容器３０が剛性を有する合成樹脂製の市販詰替容器である場合の一例を示しており、ねじ蓋を取り外した洗浄液容器３０の雄ねじが外周に形成された口部を受ける連結部８０を局部装置本体Ａ側に設けており、この連結用受け部８０に洗浄液容器３０の口部をねじ込んで洗浄液容器３０を取り付ければ、吸入パイプ６４が洗浄液容器３０内に差し込まれる。また、連結用受け部８０にはエアポンプ７６に接続された空気供給管７５が接続されており、エアポンプ７６によって空気供給管７５を通じて洗浄液容器３０内に空気が送り込まれ、洗浄液容器３０内の空気圧が上昇するために、洗浄液容器３０内の洗浄液は押されて吸入パイプ６４を通じて送り出される。この場合、エアポンプ７６が洗浄液供給ポンプ３２を代用する。
【００２７】
図１９以下に別の例を示す。これも洗浄液容器３０が剛性を有する合成樹脂製の市販詰替容器である場合の例であるが、局部洗浄装置本体Ａの袖部Ｂ内に収容されて、袖部Ｂに設けた開閉自在な蓋（図示せず）を開いて袖部Ｂ上面を開口させることで洗浄液容器３０の着脱を行うことができるようになっている。また、接続口７０にはシリコン製のホース状の接続部材６７を介して吸入パイプ６４が接続されているとともに、洗浄液容器３０の口に装着されるキャップ（連結部）８０にはポリプロピレンの押出ホースにて形成された吸入パイプ６４が軸回りの回転が自在となる状態で差し込まれる孔が中央に設けられている。
【００２８】
ここで、接続口７０は図２１（ａ）に示す状態で内部の弁（図示せず）が閉じ、図２１（ｂ）に示す状態で内部の弁が開くように構成されており、このように弁の開閉を行う時、ホース状の接続部材６７は撓む方向が入れ替わるようにすることで、接続部材７の長さの最適化を図るとともに、着脱の際に折れ曲がらないようにしている。
【００２９】
図２２に洗浄液容器３０が剛性を有する合成樹脂製の市販詰替容器である場合の他例を示す。洗浄液容器３０の口を閉じているねじ蓋に代えて取り付けられるキャップ８０には、吸入パイプ６４が挿入される孔８１が設けられており、キャップ８０に対して吸入パイプ６４は上下動及び回転が自在となっている。従って、吸入パイプ６４の下端が洗浄液容器３０の内底面から浮いたり接続部材６７が捻れたり折れたりするようなことはない。また、ここでは吸入パイプ６４の先端は斜めにカットすることで、吸入パイプ６４の先端面が洗浄液容器３０の内底面に密着して洗浄液が吸引されなくなってしまうことがないようにしている。
【００３０】
さらにキャップ８０の孔８１にはその内径が広がった部分が設けられて空気取り入れ口８２が形成されており、洗浄液供給ポンプ３２で洗浄液容器３０内の洗浄液を吸い出す時、空気取り入れ口８２からの空気流入で洗浄液容器３０内が負圧になってしまうことを防いでいる。
【００３１】
図２３に示すように、上記孔８１とは別に設けた孔８３を空気取り入れ口としてもよい。孔８１の部分に設けた空気取り入れ口８２は付着した洗浄液で詰まりやすいが、別の孔８３を空気取り入れ口とすることで詰まりを防ぐことができる。
【００３２】
図２４は上記キャップ８０に把手８５を設けたものを示している。市販詰替容器である洗浄液容器３０を局部洗浄装置本体Ａから取り出したり装填したりする時、把手８５を摘むことで手が滑ることによる洗浄液容器３０の落下を防ぐことができる。図２５に示すように、キャップ８０の上端外周に設けたフランジ８６を把手として利用するようにしたものであってもよい。
【００３３】
洗浄液容器３０は接続口７０より高い位置に保持できるようにしておくのも好ましい。また、洗浄液容器３０が可撓性を有するパックである時、洗浄液容器３０内の洗浄液の送り出しは洗浄液容器３０の外面に圧力を加えることで行うものであってもよい。
【００３４】
【発明の効果】
以上のように本発明においては、洗剤等の洗浄液を保存するための洗浄液保持部と、給水口から局部へ洗浄水を噴出するための洗浄ノズルヘ至る給水経路の途中に配設されて洗浄液保持部からの洗浄液を洗浄水に混合する洗浄液混合部と、洗浄水や洗浄水と洗浄液との混合液を局部に向けて噴射する上記洗浄ノズルとを備えた局部洗浄装置において、上記洗浄液保持部が市販洗浄液の詰替容器を保持するものとして形成されているために、詰替容器をそのまま使用することができるものであり、洗浄液を専用タンクに移し替える手間を必要とせず、従って洗浄液の補充作業にかかる手間を削減することができる。
【００３５】
洗浄液保持部は、詰替容器内に挿入される伸縮自在な管状の洗浄液吸入部を備えたものであると、詰替容器のサイズが違っても、洗浄液吸入部の先端を詰替容器内部の下端に位置させることができる。
【００３６】
また、詰替容器が可撓性を有するパックである場合、洗浄液保持部は詰替容器内に挿入される管状の洗浄液吸入部と、詰替容器の口部と上記挿入された洗浄液吸入部とを挟持固定して詰替容器の口部を封止する挟持固定部材を備えたものとすると、洗浄液吸入部を詰替容器に挿入したままで詰替容器の口部を封止することができる。
【００３７】
また、詰替容器が剛性を有するとともに雄ねじを外周面に備えた口部を有している容器である場合、洗浄液保持部は上記口部が螺合連結される連結部を備えたものとすると、詰替容器の着脱を簡便に行うことができる。
【００３８】
また、連結部は上記口部が螺合連結されるキャップであり、管状の洗浄液吸入部が上下動自在に取り付けられているものであっても、詰替容器の着脱が簡便である上に、詰替容器の深さの違いにも簡単に対応することができる。
【００３９】
また連結部に把手が設けられていると、詰替容器の着脱に際して手が滑ったりすることがない。
【００４０】
連結部に空気取り入れ口が設けられていると、洗浄液の供給をスムーズに行うことができる。
【００４１】
さらに、洗浄液容器内の内圧を高めて洗浄液を送り出す圧力付加手段を備えたものであっても、洗浄液の供給を確実に行うことができる。
【００４２】
そして、洗浄液保持部が詰替容器内に挿入される管状の洗浄液吸入部が着脱自在に連結される接続口を備えて、該接続口が上記着脱に連動して開閉される弁を内蔵していると、詰替容器をいったん外した時に局部洗浄装置本体側に残っている洗浄液が空気に触れて固着するのを防ぐことができる。
【図面の簡単な説明】
【図１】本発明の実施の形態の一例の要部の分解斜視図である。
【図２】同上の全体構成を示すブロック図である。
【図３】同上のノズル部の斜視図である。
【図４】同上のノズル部の斜視図である。
【図５】同上の外観を示す斜視図である。
【図６】同上の動作の一例を示すタイムチャートである。
【図７】同上の吸入パイプの断面図である。
【図８】同上のクリップの斜視図である。
【図９】（ａ）（ｂ）は同上の接続口の断面図である。
【図１０】（ａ）（ｂ）は洗浄液容器（詰替容器）の取付手順を示す斜視図である。
【図１１】（ａ）（ｂ）は洗浄液容器（詰替容器）の取付手順を示す斜視図である。
【図１２】洗浄液容器（詰替容器）の取付手順を示す斜視図である。
【図１３】洗浄液容器（詰替容器）の取付手順を示す斜視図である。
【図１４】洗浄液容器（詰替容器）の取付手順を示す斜視図である。
【図１５】吸入パイプの他例を示す斜視図である。
【図１６】吸入パイプとクリップの他例を示す斜視図である。
【図１７】他の実施の形態の一例の要部分解斜視図である。
【図１８】同上の断面図である。
【図１９】別の例の斜視図である。
【図２０】同上の断面図である。
【図２１】（ａ）（ｂ）は同上の部分平面図である。
【図２２】さらに別の例の断面図である。
【図２３】同上のキャップの他例の斜視図である。
【図２４】同上のキャップのさらに他例の斜視図である。
【図２５】同上のキャップの別の例を示すもので、（ａ）は断面図、（ｂ）は斜視図である。
【符号の説明】
２　洗浄ノズル
３０　洗浄液容器（詰替容器）
３３　洗浄液混合部
【図１】
2004003234.tif 000003
【図２】
2004003234.tif 000004
【図３】
2004003234.tif 000005
【図４】
2004003234.tif 000006
【図５】
2004003234.tif 000007
【図６】
2004003234.tif 000008
【図７】
2004003234.tif 000009
【図８】
2004003234.tif 000010
【図９】
2004003234.tif 000011
【図１０】
2004003234.tif 000012
【図１１】
2004003234.tif 000013
【図１２】
2004003234.tif 000014
【図１３】
2004003234.tif 000015
【図１４】
2004003234.tif 000016
【図１５】
2004003234.tif 000017
【図１６】
2004003234.tif 000018
【図１７】
2004003234.tif 000019
【図１８】
2004003234.tif 000020
【図１９】
2004003234.tif 000021
【図２０】
2004003234.tif 000022
【図２１】
2004003234.tif 000023
【図２２】
2004003234.tif 000024
【図２３】
2004003234.tif 000025
【図２４】
2004003234.tif 000026
【図２５】
2004003234.tif 000027